【手続補正書】
【提出日】平成15年8月22日(2003.8.22)
【手続補正１】
【補正対象書類名】明細書
【補正対象項目名】特許請求の範囲
【補正方法】変更
【補正の内容】
【特許請求の範囲】
【請求項１】
少なくとも、奇数走査線と偶数走査線で同一値の画素を含んで構成される色差信号を１フィールド分だけ遅延する遅延手段と、
前記色差信号と、前記遅延手段により１フィールド分だけ遅延された前記色差信号との差を演算する演算手段と、
前記演算手段により演算された前記差を1フィールド分累積して加算する加算手段と、
前記加算手段により加算して得られた信号を所定の基準値と比較し、前記信号が前記基準値より大きい場合１を出力し、前記基準値より小さい場合０を出力する比較手段と、
前記比較手段により得られた符号を順番に複数フィールド並べた符号列に基づいて、フィルム映像信号であるか否かを判定する判定手段と
を備えることを特徴とする映像信号判別装置。
【請求項２】
前記色差信号は、４：２：０フォーマットに圧縮された色差信号の一方である
ことを特徴とする請求項１に記載の映像信号判別装置。
【請求項３】
少なくとも、奇数走査線と偶数走査線で同一値の画素を含んで構成される色差信号を１フィールド分だけ遅延する遅延ステップと、
前記色差信号と、前記遅延ステップの処理により１フィールド分だけ遅延された前記色差信号との差を演算する演算ステップと、
前記演算ステップの処理により演算された前記差を1フィールド分累積して加算する加算ステップと、
前記加算ステップの処理により加算して得られた信号を所定の基準値と比較し、前記信号が前記基準値より大きい場合１を出力し、前記基準値より小さい場合０を出力する比較ステップと、
前記比較ステップの処理により得られた符号を順番に複数フィールド並べた符号列に基づいて、フィルム映像信号であるか否かを判定する判定ステップと
を含むことを特徴とする映像信号判別方法。
【請求項４】
前記色差信号は、４：２：０フォーマットに圧縮された色差信号の一方である
ことを特徴とする請求項３に記載の映像信号判別方法。
【請求項５】
少なくとも、奇数走査線と偶数走査線で同一値の画素を含んで構成される色差信号を１フィールド分だけ遅延する遅延ステップと、
前記色差信号と、前記遅延ステップの処理により１フィールド分だけ遅延された前記色差信号との差を演算する演算ステップと、
前記演算ステップの処理により演算された前記差を1フィールド分累積して加算する加算ステップと、
前記加算ステップの処理により加算して得られた信号を所定の基準値と比較し、前記信号が前記基準値より大きい場合１を出力し、前記基準値より小さい場合０を出力する比較ステップと、
前記比較ステップの処理により得られた符号を順番に複数フィールド並べた符号列に基づいて、フィルム映像信号であるか否かを判定する判定ステップと
を含むことを特徴とするコンピュータが読み取り可能なプログラムが記録されている記録媒体。
【請求項６】
前記色差信号は、４：２：０フォーマットに圧縮された色差信号の一方である
ことを特徴とする請求項５に記載の記録媒体。
【請求項７】
少なくとも、奇数走査線と偶数走査線で同一値の画素を含んで構成される色差信号を１フィールド分だけ遅延する第１の遅延ステップと、
前記色差信号と、前記第１の遅延ステップの処理により１フィールド分だけ遅延された前記色差信号との差を演算する演算ステップと、
前記演算ステップの処理により演算された前記差を1フィールド分累積して加算する加算ステップと、
前記加算ステップの処理により加算して得られた信号を所定の基準値と比較し、前記信号が前記基準値より大きい場合１を出力し、前記基準値より小さい場合０を出力する比較ステップと、
前記比較ステップの処理により得られた符号を順番に複数フィールド並べた符号列に基づいて、フィルム映像信号であるか否かを判定する判定ステップと
をコンピュータに実行させるプログラム。
【請求項８】
前記色差信号は、４：２：０フォーマットに圧縮された色差信号の一方である
ことを特徴とする請求項７に記載のプログラム。
【手続補正２】
【補正対象書類名】明細書
【補正対象項目名】００２２
【補正方法】変更
【補正の内容】
【００２２】
【課題を解決するための手段】
本発明の映像信号判別装置は、上下のラインで同一値の画素を含んで構成された色差信号を１フィールド分だけ遅延する遅延手段と、この色差信号と、遅延手段により１フィールド分だけ遅延された色差信号との差を演算する演算手段と、演算手段により演算された差を1フィールド分累積して加算する加算手段と、加算手段により加算して得られた信号を所定の基準値と比較し、信号が基準値より大きい場合１を出力し、基準値より小さい場合０を出力する比較手段と、比較手段により得られた符号を順番に複数フィールド並べた符号列に基づいて、フィルム映像信号であるか否かを判定する判定手段とを備えることを特徴とする。このような構成によって、オッドフィールドとイーブンフィールドの画像の相関性に影響されることなく、フィルム映像信号かどうかを正確に検出できる。


【手続補正３】
【補正対象書類名】明細書
【補正対象項目名】００２４
【補正方法】変更
【補正の内容】
【００２４】
本発明の映像信号判別方法は、色差信号を１フィールド分だけ遅延する遅延ステップと、この色差信号と、遅延ステップの処理により１フィールド分だけ遅延された色差信号との差を演算する演算ステップと、演算ステップの処理により演算された差を１フィールド分累積して加算する加算ステップと、加算ステップの処理により加算して得られた信号を所定の基準値と比較し、信号が基準値より大きい場合１を出力し、基準値より小さい場合０を出力する比較ステップと、比較ステップの処理により得られた符号を順番に複数フィールド並べた符号列に基づいて、フィルム映像信号であるか否かを判定する判定ステップとを含むことを特徴とする。


【手続補正４】
【補正対象書類名】明細書
【補正対象項目名】００２５
【補正方法】変更
【補正の内容】
【００２５】
本発明の記録媒体のプログラムは、色差信号を１フィールド分だけ遅延する遅延ステップと、この色差信号と、遅延ステップの処理により１フィールド分だけ遅延された色差信号との差を演算する演算ステップと、演算ステップの処理により演算された差を1フィールド分累積して加算する加算ステップと、加算ステップの処理により加算して得られた信号を所定の基準値と比較し、信号が基準値より大きい場合１を出力し、基準値より小さい場合０を出力する比較ステップと、比較ステップの処理により得られた符号を順番に複数フィールド並べた符号列に基づいて、フィルム映像信号であるか否かを判定する判定ステップとを含むことを特徴とする。


【手続補正５】
【補正対象書類名】明細書
【補正対象項目名】００２６
【補正方法】変更
【補正の内容】
【００２６】
本発明のプログラムは、色差信号を１フィールド分だけ遅延する遅延ステップと、色差信号と、遅延ステップの処理により１フィールド分だけ遅延された色差信号との差を演算する演算ステップと、演算ステップの処理により演算された差を1フィールド分累積して加算する加算ステップと、加算ステップの処理により加算して得られた信号を所定の基準値と比較し、信号が基準値より大きい場合１を出力し、基準値より小さい場合０を出力する比較ステップと、比較ステップの処理により得られた符号を順番に複数フィールド並べた符号列に基づいて、フィルム映像信号であるか否かを判定する判定ステップとをコンピュータに実行させる。